(57)【要約】【課題】モノクロモード時の中間転写ベルトの撓みを防いでモノクロ画像の品質向上を図ることができるカラー画像形成装置を提供すること。【解決手段】無端状の中間転写ベルト７と、複数の感光ドラム（像担持体）２ａ〜２ｄと、複数の一次転写ローラ５ａ〜５ｄを備え、複数の感光ドラム２ａ〜２ｄに形成された各色のトナー像を中間転写ベル７トに一次転写するカラーモードと、感光ドラム２ｄに形成されたモノクロトナー像を中間転写ベルト７に一次転写するモノクロモードを選択可能であって、モノクロモード時にはモノクロ用以外の感光ドラム２ａ〜２ｃを中間転写ベルト７から離間させるようにしたカラー画像形成装置において、感光ドラム２ｄの上流側において中間転写ベルト７に当接する一次転写前ローラ１３を設け、該一次転写前ローラ１３と感光ドラム２ｄとの間において中間転写ベルト７に撓みが発生するのを防ぐ手段を設ける。【選択図】図１
2011033739.tif 000002
【特許請求の範囲】
【請求項１】
無端状の中間転写ベルトと、モノクロ用を含む複数の像担持体と、前記中間転写ベルトを介して前記像担持体に当接する複数の一次転写ローラを備え、複数の像担持体に形成された各色のトナー像を前記中間転写ベルトに一次転写するカラーモードと、モノクロ用像担持体に形成されたモノクロトナー像を前記中間転写ベルトに一次転写するモノクロモードを選択可能であって、モノクロモード時にはモノクロ用以外の複数のカラー用像担持体と前記中間転写ベルトを離間させるようにしたカラー画像形成装置において、
前記モノクロ用像担持体の上流側において前記中間転写ベルトに当接する一次転写前ローラを設けたことを特徴とするカラー画像形成装置。
【請求項２】
前記一次転写前ローラにトルクリミッタを設け、該トルクリミッタを介して前記一次転写前ローラに前記中間転写ベルトの移動方向に対して逆回転駆動が掛かるよう構成したことを特徴とする請求項１記載のカラー画像形成装置。
【請求項３】
前記中間転写ベルトの前記一次転写前ローラと前記モノクロ用担持体との間における撓みを検知するセンサと、該センサによる撓みの検知により前記一次転写前ローラの回転状態を変更する制御手段を設けたことを特徴とする請求項１記載のカラー画像形成装置。
【発明の詳細な説明】
【技術分野】
【０００１】
本発明は、単色のモノクロ画像又は複数色のカラー画像を形成可能なカラー画像形成装置に関するものである。
【背景技術】
【０００２】
近年、電子写真方式によって用紙に画像を形成する複写機やプリンタ等の画像形成装置に対するカラー化の要求が強く、この要求に応えてカラー画像形成装置が開発され、既に実用に供されている。このカラー画像形成装置にはモノクロ並みの出力スピードが要求されることからタンデム型のカラー画像形成装置が注目されている。
【０００３】
タンデム型のカラー画像形成装置においては、無端状の中間転写ベルトと、モノクロ用のブラック像担持体とイエロー、マゼンタ、シアンの３つのカラー像担持体を備え、各像担持体に形成された各色のトナー像を前記中間転写ベルトに一次転写する方式が採用されている。
【０００４】
ところで、斯かるカラー画像形成装置においては、カラー画像を出力するカラーモードと、ブラック単色のモノクロ画像を出力するモノクロモードを選択可能であって、モノクロモードを選択してモノクロ画像を出力するときにも画像形成に供されないイエロー、マゼンタ及びシアンのカラー像担持体を動作させると、これらのカラー像担持体が中間転写ベルトに接触し、該カラー像担持体や中間転写ベルトが摩耗してこれらの寿命が低下するという問題が発生する。
【０００５】
そこで、モノクロモード時にはブラック像担持体以外の３つのカラー像担持体を中間転写ベルトから離間させるようにしたカラー画像形成装置が提案されている（例えば、特許文献１参照）。
【０００６】
又、カラー画像形成装置において、中間転写ベルトの蛇行や速度変動を防ぐための提案もなされている（例えば、特許文献２，３参照）。
【先行技術文献】
【特許文献】
【０００７】
【特許文献１】特開２００８−１２２６０１号公報
【特許文献２】特許第３４７３１４８号公報
【特許文献３】特開２００８−１３９７４９号公報
【発明の概要】
【発明が解決しようとする課題】
【０００８】
ところで、モノクロモードとカラーモードを選択可能であって、モノクロモードが選択された場合にブラック像担持体以外の３つのカラー像担持体を中間転写ベルトから離間させるようにしたカラー画像形成装置においては、モノクロモード時には中間転写ベルトに接する箇所が少ないため、ブラック像担持体とこれに対向する一次転写ローラ部分の上流における中間転写ベルトのテンションがカラーモード時のそれよりも低いために該中間転写ベルトの一次転写部に撓みが発生し、モノクロ画像にジッタ（縦線）等が発生して画像品質が低下するという問題があった。尚、カラーモード時には全ての像担持体が中間転写ベルトに当接して該中間転写ベルトに十分なテンションが付与されるために上記問題は発生しない。
【０００９】
本発明は上記問題に鑑みてなされたもので、その目的とする処は、モノクロモード時の中間転写ベルトの撓みを防いでモノクロ画像の品質向上を図ることができるカラー画像形成装置を提供することにある。
【課題を解決するための手段】
【００１０】
上記目的を達成するため、請求項１記載の発明は、無端状の中間転写ベルトと、モノクロ用を含む複数の像担持体と、前記中間転写ベルトを介して前記像担持体に当接する複数の一次転写ローラを備え、複数の像担持体に形成された各色のトナー像を前記中間転写ベルトに一次転写するカラーモードと、モノクロ用像担持体に形成されたモノクロトナー像を前記中間転写ベルトに一次転写するモノクロモードを選択可能であって、モノクロモード時にはモノクロ用以外の複数のカラー用像担持体を前記中間転写ベルトから離間させるようにしたカラー画像形成装置において、前記モノクロ用像担持体の上流側において前記中間転写ベルトに当接する一次転写前ローラを設けたことを特徴とする。
【００１１】
請求項２記載の発明は、請求項１記載の発明において、前記一次転写前ローラにトルクリミッタを設け、該トルクリミッタを介して前記一次転写前ローラに前記中間転写ベルトの移動方向に対して逆回転駆動が掛かるよう構成したことを特徴とする。
【００１２】
請求項３記載の発明は、請求項１記載の発明において、前記中間転写ベルトの前記一次転写前ローラと前記モノクロ用担持体との間における撓みを検知するセンサと、該センサによる撓みの検知により前記一次転写前ローラの回転状態を変更する制御手段を設けたことを特徴とする。
【発明の効果】
【００１３】
請求項１記載の発明によれば、カラー用像担持体が中間転写ベルトから離間するモノクロモード時において中間転写ベルトのテンションがカラーモード時のそれよりも低下しても、中間転写ベルトの一次転写前ローラとモノクロ用担持体との間における撓みの発生が一次転写前ローラによって防がれるため、中間転写ベルトの撓みに起因するジッタ等の画像不良が発生することがなく、高品質のモノクロ画像を得ることができる。
【００１４】
請求項２載の発明によれば、一次転写前ローラとモノクロ用担持体との間において中間転写ベルトに撓みが発生するとトルクリミッタによって一次転写前ローラに駆動負荷が掛かるため、モノクロモード時に中間転写ベルトのテンションがカラーモード時のそれよりも低下しても、中間転写ベルトの一次転写前ローラとモノクロ用担持体との間における撓みの発生が防がれて高品質のモノクロ画像を得ることができる。
【００１５】
請求項３載の発明によれば、センサが中間転写ベルトの撓みを検出すると該一次転写前ローラの状態を変更するようにしたため、中間転写ベルトの撓みが確実に除去され、モノクロモード時に高品質のモノクロ画像を得ることができる。
【図面の簡単な説明】
【００１６】
【図１】本発明に係るカラー画像形成装置（カラーレーザープリンタ）の側断面図である。
【図２】図１のカラー画像形成装置（カラーレーザープリンタ）の中間転写ベルト周辺の側断面図である。
【図３】本発明の実施の形態１に係るカラー画像形成装置（カラーレーザープリンタ）の一次転写前ローラの斜視図である。
【図４】本発明の実施の形態２に係るカラー画像形成装置（カラーレーザープリンタ）の部分断面図である。
【発明を実施するための形態】
【００１７】
以下に本発明の実施の形態を添付図面に基づいて説明する。
【００１８】
図１は本発明に係るカラー画像形成装置の一形態としてのカラーレーザープリンタの側断面図であり、図示のカラーレーザープリンタはタンデム型であって、その本体１００内の中央部には、マゼンタ画像形成ユニット１Ｍ、シアン画像形成ユニット１Ｃ、イエロー画像形成ユニット１Ｙ及びブラック画像形成ユニット１Ｋが一定の間隔でタンデムに配置されている。
【００１９】
上記各画像形成ユニット１Ｍ，１Ｃ，１Ｙ，１Ｋには、像担持体である感光ドラム２ａ，２ｂ，２ｃ，２ｄがそれぞれ配置されており、各感光ドラム２ａ〜２ｄの周囲には、帯電器３ａ，３ｂ，３ｃ，３ｄ、現像装置４ａ，４ｂ，４ｃ，４ｄ、一次転写ローラ５ａ，５ｂ，５ｃ，５ｄ及びドラムクリーニング装置６ａ，６ｂ，６ｃ，６ｄがそれぞれ配置されている。
【００２０】
ここで、前記感光ドラム２ａ〜２ｄは、ドラム状の感光体であって、不図示の駆動モータによって図示矢印方向（反時計方向）に所定のプロセススピードで回転駆動される。又、前記帯電器３ａ〜３ｄは、不図示の帯電バイアス電源から印加される帯電バイアスによって感光ドラム２ａ〜２ｄの表面を所定の電位に均一に帯電させるものである。
【００２１】
更に、前記現像装置４ａ〜４ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものである。
【００２２】
図２は図１に示すカラー画像形成装置（カラーレーザープリンタ）の中間転写ベルト周辺の側断面図であり、（ａ）はカラーモード時の転写ベルトの状態を示し、（ｂ）はモノクロモード時の転写ベルトの状態を示す。前記一次転写ローラ５ａ〜５ｄは、各一次転写部にて無端状の中間転写ベルト７を介して各感光ドラム２ａ〜２ｄに当接可能に配置されている。ここで、中間転写ベルト７は、図示しない駆動モータで回転駆動される二次転写対向ローラ８と複数の従動ローラ９ａ〜９ｄ及びテンションローラ１０との間に張設されて各感光ドラム２ａ〜２ｄの上面側に図示矢印方向（時計方向）に走行可能に配置されており、前記二次転写対向ローラ８は、二次転写部において中間転写ベルト７を介して二次転写ローラ１１に当接可能に配置されている。尚、従動ローラ９の近傍にはベルトクリーニング装置１２が設けられている。
【００２３】
ところで、本実施の形態では、ブラックの感光ドラム２ｄと一次転写ローラ５ｄ間の転写ニップの上流側（中間転写ベルトの７走行方向上流側）には、中間転写ベルト７の内面に当接する一次転写前ローラ１３が回転可能に配置されている。ここで、一次転写ローラ５ａ〜５ｃ及び従動ローラ９ｂは図２（ｂ）に示す上方の退避位置に連動して移動可能になっている。一次転写ローラ５ａ〜５ｃ及び従動ローラ９ｂが移動すると、中間転写ベルト７は破線で示す位置に移動してブラックの感光ドラム２ｄ以外の感光ドラム２ａ〜２ｃの表面から離れる。このとき、中間転写ベルト７には、従動ローラ９ａから下流側のブラックの感光ドラム２ｄの間で一次転写前ローラ１３のみが接触している。
【００２４】
更に、装置本体１００内の各画像形成ユニット１Ｍ，１Ｃ，１Ｙ，１Ｋの下方にはレーザースキャナユニット（ＬＳＵ）１４が配置され、その下方の本体１００の底部には給紙カセット１５が着脱可能に設置されている。そして、給紙カセット１５には複数枚の不図示の用紙が積層収容されており、給紙カセット１５の近傍には、該給紙カセット１５から用紙を取り出すピックアップローラ１７と、取り出された用紙を分離して搬送パスＬ１へと１枚ずつ送り出すフィードローラ１８とリタードローラ１９が設けられている。又、本体１００の右側面には手差しトレイ１６が装着されており、この手差しトレイ１６に上方から用紙を直接セットすることが可能である。
【００２５】
ところで、装置本体１００の上面には排紙トレイ２０が設けられており、前記搬送パスＬ１は、装置本体１００の側部を前記排紙トレイ２０まで延びている。そして、搬送パスＬ１の途中には、用紙を搬送する搬送ローラ対２１と、用紙を一時待機させた後に所定のタイミングで前記二次転写対向ローラ８と二次転写ローラ１１との当接部である二次転写部へと供給するレジストローラ対２２と、トナー像を用紙上に定着するための定着装置２３と、定着された用紙を搬送する搬送ローラ対２４及び用紙を前記排紙トレイ２０に排出する排紙ローラ対２５が設けられている。
【００２６】
他方、装置本体１００内の前記レーザースキャナユニット（ＬＳＵ）１４の下方には前記手差しトレイ１６から前記搬送パスＬ１まで略水平に延びる搬送パスＬ２が設けられており、手差しトレイ１６の近傍には、該手差しトレイ１６から用紙を取り出すピックアップローラ２６と、取り出された用紙を分離して搬送パスＬ２へと１枚ずつ送り出すフィードローラ２７とリタードローラ２８が設けられている。又、搬送パスＬ２には、用紙を搬送パスＬ１の前記レジストローラ対２２の上流側へと送り込むための複数の搬送ローラ対２９が設けられている。
【００２７】
又、装置本体１００内の側部の前記搬送パスＬ１の上部の搬送ローラ対２４の下流側からは両面パスＬ３が分岐しており、その分岐部には用紙の搬送方向を切り換える切換フラッパ３０が設けられている。そして、両面パスＬ２は分岐部から逆字状に湾曲して垂直下方に延びた後、Ｕ字状に湾曲して搬送パスＬ１のレジストローラ対２２の上流側に合流しており、その途中には反転ローラ対３１，３２，３３が設けられている。
【００２８】
次に、以上の構成を有するカラーレーザープリンタによる画像形成動作について説明する。
【００２９】
本実施の形態に係るカラーレーザープリンタは、カラー画像を出力するカラーモードとモノクロ画像を出力するモノクロモードを選択可能であり、以下、カラーモード時とモノクロモード時の画像形成動作についてそれぞれ説明する。
【００３０】
１）カラーモード時：
カラーモードが選択された場合には、全ての画像形成ユニット１Ｍ，１Ｃ，１Ｙ，１Ｋが動作し、図１に示すように、全ての感光ドラム２ａ〜２ｄが図１に示すように中間転写ベルト７に当接しており、この状態で画像形成開始信号が発せられると、各画像形成ユニット１Ｍ，１Ｃ，１Ｙ，１Ｋにおいて各感光ドラム２ａ〜２ｄが図示矢印方向（反時計方向）に所定のプロセススピードで回転駆動され、これらの感光ドラム２ａ〜２ｄは、帯電器３ａ〜３ｄによって一様に帯電される。又、レーザースキャナユニット１４は、各色毎のカラー画像信号によって変調されたレーザー光を出射し、そのレーザー光を各感光ドラム２ａ〜２ｄの表面に照射し、各感光ドラム２ａ〜２ｄ上に各色のカラー画像信号に対応した静電潜像をそれぞれ形成する。
【００３１】
そして、先ず、マゼンタ画像形成ユニット１Ｍの感光ドラム２ａ上に形成された静電潜像に、該感光ドラム２ａの帯電極性と同極性の現像バイアスが印加された現像装置４ａによってマゼンタトナーを付着させ、該静電潜像をマゼンタトナー像として可視像化する。このマゼンタトナー像は、感光ドラム２ａと一次転写ローラ５ａとの間の一次転写部（転写ニップ部）において、トナーと逆極性の一次転写バイアスが印加された一次転写ローラ５ａの作用によって、図示矢印方向に回転駆動されている中間転写ベルト７上に一次転写される。
【００３２】
上述のようにしてマゼンタトナー像が一次転写された中間転写ベルト７は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト７上のマゼンタトナー像に重ねて転写される。
【００３３】
以下同様にして、中間転写ベルト７上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト７上にはフルカラーのトナー像が形成される。尚、中間転写ベルト７上に転写されないで各感光ドラム２ａ〜２ｄ上に残留する転写残トナーは、各ドラムクリーニング装置６ａ〜６ｄによって除去され、各感光ドラム２ａ〜２ｄは次の画像形成に備えられる。
【００３４】
そして、カセット給紙を行う場合、中間転写ベルト７上のフルカラートナー像の先端が二次転写対向ローラ８と二次転写ローラ１１間の二次転写部（転写ニップ部）に達するタイミングに合わせて、給紙カセット１５からピックアップローラ１７とフィードローラ１８及びリタードローラ１９によって搬送パスＬ１へと送り出された用紙が搬送ローラ対２１によってレジストローラ対２２へと搬送された後、適当なタイミングでレジストローラ対２２によって二次転写部へと搬送される。そして、二次転写部に搬送された用紙に、トナーと逆極性の二次転写バイアスが印加された二次転写ローラ１１によってフルカラーのトナー像が中間転写ベルト７から一括して二次転写される。尚、手差し給紙を行う場合には、手差しトレイ１６からピックアップローラ２６とフィードローラ２７及びリタードローラ２９によって搬送パスＬ２へと送り出された用紙は、搬送ローラ対２９によって搬送パスＬ２に沿って搬送パスＬ１へと搬送されてレジストローラ対２２に達し、以後は前述と同様のプロセスを経てフルカラーのトナー像の二次転写を受ける。
【００３５】
而して、フルカラーのトナー像が転写された用紙は、定着装置２３へと搬送され、フルカラーのトナー像が加熱及び加圧されて用紙の表面に熱定着され、トナー像が定着された用紙は、搬送ローラ２４によって排紙ローラ対２５へと搬送され、排紙ローラ対２５によって排紙トレイ２０上に排出されて一連の画像形成動作が完了する。尚、用紙上に転写されないで中間転写ベルト７上に残留する転写残トナーは、前記ベルトクリーニング装置１２によって除去され、中間転写ベルト７は次の画像形成に備えられる。
【００３６】
以上は用紙の片面に画像を形成する場合について説明したが、用紙の両面に画像を形成する場合には、前記プロセスを経て片面に画像が形成された用紙は、排紙ローラ対２５が逆転するとともに、切換フラッパ３０によって搬送方向が切り換えられることによって、その後端を先にして両面パスＬ３へとスイッチバックされ、反転ローラ対３１〜３３によって両面パスＬ３を下方に向かって搬送された後に搬送パスＬ１に設けられたレジストローラ対２２に達し、適当なタイミングでレジストローラ対２２によって二次転写部へと再び搬送される。そして、用紙は二次転写部においてその反対側の面にフルカラーのトナー像が中間転写ベルト７から一括して二次転写され、その後は前述と同様に定着装置２３によってトナー像の定着を受けた後、排紙ローラ対２５によって排紙トレイ２０へと排出される。
【００３７】
２）モノクロモード時：
モノクロモードが選択された場合には、ブラック画像形成ユニット１Ｋのみが動作し、他のマゼンタ、シアン及びイエロー画像形成ユニット１Ｍ，１Ｃ，１Ｙは休止するため、前記と同様のブラック画像形成ユニット１Ｋにおいて感光ドラム２ｄ上に形成されたブラックトナー像は、感光ドラム２ｄと一次転写ローラ５ｄとの当接部である一次転写部において中間転写ベルト７上に一次転写される。そして、中間転写ベルト７上に一次転写されたブラックトナー像は、給紙カセット１５又は手差しトレ１６イから二次転写部（二次転写対向ローラ８と二次転写ローラ１１との当接部）に適当なタイミングで供給される用紙に二次転写された後、定着装置においてブラックトナー像の定着を受ける。そして、ブラックのモノクロ画像が形成された用紙は、排紙ローラ対２５によって排紙トレイ２０へと排出される。
【００３８】
尚、モノクロモード時においても、カラーモード時と同様に用紙を反転しながら二次転写部と定着装置２３を２度通過させることによって、用紙の両面にモノクロ画像を形成することができる。
【００３９】
ところで、モノクロモード時にはカラー用の３つの感光ドラム２ａ〜２ｃは中間転写ベルト７から離間するため、ブラック画像形成ユニット１Ｋの上流側の中間転写ベルト７のテンションはカラーモード時のそれよりも低くなり、該中間転写ベルト７の一次転写部に撓みが発生し、モノクロ画像にジッタ（縦線）等が発生して画像品質が低下するという問題があったことは前述の通りである。
【００４０】
そこで、本発明では、ブラック画像形成ユニット１Ｋの一次転写部（感光ドラム２ｄとこれに当接する一次転写ローラ５ｄとの当接部）の上流側（中間転写ベルト７の走行方向上流側）において中間転写ベルト７に当接する一次転写前ローラ１３を設け、該一次転写前ローラ２３と感光ドラム２ｄとの間において中間転写ベルト７に撓みが発生するのを防ぐ手段を設けている。以下、その具体的な実施の形態について説明する。
【００４１】
＜実施の形態１＞
本実施の形態では、図３の斜視図に示すように、一次転写前ローラ１３にトルクリミッタ３４を同軸的に設け、一次転写前ローラ１３と感光ドラム２ｄとの間において中間転写ベルト７に撓みが発生しないようにトルクリミッタ３４によって一次転写前ローラ１３に回転負荷が掛かるようにしている。このように一次転写前ローラ１３と感光ドラム２ｄとの間において中間転写ベルト７は一次転写前ローラ１３に回転負荷が掛かって中間転写ベルト７にブレーキが掛かるため、中間転写ベルト７が一次転写前ローラ１３と感光ドラム２ｄとの間で引っ張られる。又、一次転写ローラ１３を中間転写ベルト７の移動方向と逆方向に回転するようにトルクリミッタ３４を回転駆動する構成とすることもできる。この場合、中間転写ベルト７に撓みが発生しない間は一次転写前ローラ１３は中間転写ベルト７に従動して回転するが、一次転写前ローラ１３と感光ドラム２ｄとの間において中間転写ベルト７に撓みが発生する状態になると、トルクリミッタ３４の作用によって一次転写前ローラ１３が逆駆動して中間転写ベルト７を上流側に積極的に引っ張り、撓みを素早く吸収する。この結果、モノクロモード時に中間転写ベルト７のテンションがカラーモード時のそれよりも低下しても、中間転写ベルト７の一次転写前ローラ１３と感光ドラム２ｄとの間における撓みが除去され、中間転写ベルト７の撓みに起因するジッタ等の画像不良の発生が防がれて高品質のモノクロ画像が得られる。
【００４２】
＜実施の形態２＞
次に、本発明の実施の形態２を図４に基づいて説明する。
【００４３】
図４は中間転写ベルトに撓みが発生するのを防ぐ手段の別形態を示す部分断面図であり、本図においては図１に示したものと同一要素には同一符号を付しており、以下、それらについての再度の説明は省略する。
【００４４】
本実施の形態は、中間転写ベルト７の一次転写前ローラ１３と一次転写ローラ５ｄとの間における撓みを検知するセンサ３５を中間転写ベルト７の内側に配置するとともに、一次転写前ローラ１３に選択的に当接する回転可能な摩擦ローラ３６を設け、前記センサ３５が中間転写ベルト７の撓みを検出すると摩擦ローラ３６を図４に示すように一次転写前ローラ１３に当接させるようにしたことを特徴とする。又、実施の形態１の一次転写前ローラ１３にトルクリミッタ３４を設けた構成において、センサ３５による撓みの検知でトルクリミッタ３４を逆回転駆動させても良い。更に、トルクリミッタ３４をステッピングモータ等の回転速度の変更が可能なモータを用いて、センサ３５で中間転写ベルト７の撓みを検知した際に、トルクリミッタ３４の逆回転速度を速くしても良い。
【００４５】
以上のように、本実施の形態では、センサ３５が中間転写ベルト７の撓みを検出すると摩擦ローラ３６を一次転写前ローラ１３に当接させて該一次転写前ローラ１３の回転に負荷を掛けるようにしたため、中間転写ベルト７の一次転写前ローラ１３と感光ドラム２ｄとの間における撓みが除去され、中間転写ベルト７の撓みに起因するジッタ等の画像不良の発生が防がれて高品質のモノクロ画像が得られる。
【００４６】
尚、以上の実施の形態では、本発明をカラーレーザープリンタに対して適用した形態について説明したが、本発明は、カラーモードとモノクロモードを選択可能であって、モノクロモード時にはモノクロ用像担持体以外のカラー用像担持体を中間転写ベルトから離間させる構成を採用する他の任意のカラー画像形成装置に対しても同様に適用可能であることは勿論である。
【符号の説明】
【００４７】
１Ｍ            マゼンタ画像形成ユニット
１Ｃ            シアン画像形成ユニット
１Ｙ            イエロー画像形成ユニット
１Ｋ            ブラック画像形成ユニット
２ａ〜２ｄ      感光ドラム（像担持体）
３ａ〜３ｄ      帯電器
４ａ〜４ｄ      現像装置
５ａ〜５ｄ      一次転写ローラ
６ａ〜６ｄ      ドラムクリーニング装置
７              中間転写ベルト
８              二次転写対向ローラ
９ａ〜９ｄ      従動ローラ
１０            テンションローラ
１１            二次転写ローラ
１２            ベルトクリーニング装置
１３            一次転写前ローラ
１４            レーザースキャナユニット（ＬＳＵ）
１５            給紙カセット
１６            手差しトレイ
１７            ピックアップローラ
１８            フィードローラ
１９            リタードローラ
２０            排紙トレイ
２１            搬送ローラ対
２２            レジストローラ対
２３            定着装置
２４            搬送ローラ対
２５            排紙ローラ対
２６            ピックアップローラ）
２７            フィードローラ
２８            リタードローラ
２９            搬送ローラ対
３０            切換フラッパ
３１〜３３      反転ローラ対
３４            トルクリミッタ
３５            センサ
３６            摩擦ローラ
１００          画像形成装置本体
Ｌ１，Ｌ２      搬送パス
Ｌ３            両面パス
【図１】
2011033739.tif 000003
【図２】
2011033739.tif 000004
【図３】
2011033739.tif 000005
【図４】
2011033739.tif 000006